(57)【要約】  本発明は、コンピュータの入力装置として用いられる箸型マウスに関する。このような本発明は、一端部に光センサ部が形成される円筒状の第１棒部；第１棒部の一面に上側方向に向かって傾斜するように設けられているブリッジ部；第１棒部と同一な形状に形成され、第１棒部と一端が隣接するように離隔され、他端が一端よりも広く離隔されており、一面がブリッジ部に固定される第２棒部；及びケースモジュールの一面が第１棒部と第２棒部のいずれか１つの棒部に固定され、第１棒部と第２棒部との間に位置し、ケースモジュールからさらに１つの棒部に向かって第１ボタン部が突出形成され、第２棒部に圧力がかかると、第１ボタン部が押される接点スイッチ部を含む。【選択図】図１
2021532517.tif 000002
【特許請求の範囲】
【請求項１】
コンピュータの入力装置として用いられる箸型マウスであって、
一端部に光センサ部が形成される円筒状の第１棒部；
前記第１棒部の一面に上側方向に向かって傾斜するように設けられているブリッジ部；
前記第１棒部と類似の形状に形成され、前記第１棒部と一端が隣接するように離隔され、他端が前記一端よりも広く離隔されており、一面が前記ブリッジ部に固定される第２棒部；及び
ケースモジュールの一面が前記第１棒部と第２棒部のいずれか１つの棒部に固定され、前記第１棒部と前記第２棒部との間に位置し、前記ケースモジュールからさらに１つの棒部に向かって第１ボタン部が突出形成され、前記第２棒部に圧力がかかると、前記第１ボタン部が押される接点スイッチ部を含む、箸型マウス。
【請求項２】
前記光センサ部は、光を出力する出力モジュール、光を受信する受信モジュール、前記出力モジュール及び受信モジュールを包むハウジングモジュール、前記ハウジングモジュールの一端に傾斜するように連結され、前記第１棒部を支持し、前記ハウジングモジュールから突出される摩擦部面を含む支持モジュールを含む、請求項１に記載の箸型マウス。
【請求項３】
前記第１棒部または前記第２棒部は、少なくとも１つの電源部、前記電源部と連結される制御部、前記制御部と連結される少なくとも１つの位置感知センサを含み、前記位置感知センサは、前記第１棒部または前記第２棒部の傾きによって第１位置変換信号及び第２位置変換信号を出力して、スクロールアップ及びスクロールダウンを可能にする、請求項１に記載の箸型マウス。
【発明の詳細な説明】
【技術分野】
【０００１】
本発明は、コンピュータの入力装置として用いられるマウスの技術分野に属する。
【背景技術】
【０００２】
現在、コンピュータで処理しなければならない業務が増えている。コンピュータで処理しなければならない業務量の増加で、多くの人は自然にコンピュータの入力装置であるマウスを長時間用いることになる。市販の多くのマウスは、手のひらで胴体を包み、人差し指と中指でボタンを押す形状となっている。
【０００３】
このような形状のマウスは、グリップ感がよく、ユーザの手から簡単には滑り落ちない長所を有している。しかしながら、長時間使用すると、ユーザの手に疲労が溜まる問題や、ユーザの手首に手根管症候群を生じさせる問題をかかえている。
【０００４】
現在は、ユーザの手に痛みを誘発することを防止するマウスが様々に開発されてきている。
【０００５】
一例として、現在、大韓民国登録実用新案第２０−０３２６９３６号で開示されているコンピュータ用マウスなどが開発されている。しかしながら、開発されているマウスは、コンピュータ業務をするにおいて、マウスをグリップする手の姿勢を適宜に変更することができないという限界を有している。
【先行技術文献】
【特許文献】
【０００６】
【特許文献１】大韓民国登録実用新案第２０−０３２６９３６号
【発明の概要】
【発明が解決しようとする課題】
【０００７】
本発明は、上述したような問題点を解決するためのものであって、本発明は、マウスのグリップに対して逆発想的アプローチで、東洋の伝統的な箸の把持法に着目し、マウスをグリップする接触面を最小化して、手の姿勢の自由度を高め、マウスを長時間用いても手に疲労感が生じないようにする。
【０００８】
また、本発明は、業務をするにおいて、適宜にユーザがグリップの姿勢及び手の姿勢を変更して用いることができるようにする。
【０００９】
本発明の技術的課題は、上述した課題に制限されず、上述していない他の技術的課題は、以下の記載から、当業者にとって明確に理解できるはずである。
【課題を解決するための手段】
【００１０】
前記技術的課題を達成するための本発明の箸型マウスは、コンピュータの入力装置として用いられる箸型マウスであって、
一端部に光センサ部が形成される円筒状の第１棒部；
前記第１棒部の一面に上側方向に向かって傾斜するように設けられているブリッジ部；
前記第１棒部と類似の形状に形成され、前記第１棒部と一端が隣接するように離隔され、他端が前記一端よりも広く離隔されており、一面が前記ブリッジ部に固定される第２棒部；及び
ケースモジュールの一面が前記第１棒部と第２棒部のいずれか１つの棒部に固定され、前記第１棒部と前記第２棒部との間に位置し、前記ケースモジュールからさらに１つの棒部に向かって第１ボタン部が突出形成され、前記第２棒部に圧力がかかると、前記第１ボタン部が押される接点スイッチ部を含む。
前記光センサ部は、光を出力する出力モジュール、光を受信する受信モジュール、前記出力モジュール及び受信モジュールを包むハウジングモジュール、前記ハウジングモジュールの一端に傾斜するように連結され、前記第１棒部を支持し、前記ハウジングモジュールから突出される摩擦部面を含む支持モジュールを含むことができる。
【００１１】
前記第１棒部または前記第２棒部は、少なくとも１つの電源部、前記電源部と連結される制御部、前記制御部と連結される少なくとも１つの位置感知センサを含み、前記位置感知センサは、前記第１棒部または前記第２棒部の傾きによって第１位置変換信号及び第２位置変換信号を出力して、スクロールアップ及びスクロールダウンを可能にすることができる。
【００１２】
前記第１棒部または前記第２棒部は、少なくとも１つの電源部、前記電源部と連結される制御部、及び前記制御部と連結され、前記コンピュータと連結されているモニタから出力される画面を調節する少なくとも１つの方向調節部を含むことができる。
【００１３】
前記方向調節部は、前記第１棒部に、前記接点スイッチ部と平行にスクロールホイールとして形成することができる。
【００１４】
前記方向調節部は、前記第１棒部に突起部として形成され、前記第１棒部で引っ張られ、前記コンピュータと連結されているモニタから出力される画面を調節することができる。
【００１５】
前記第１棒部と前記第２棒部の一端部との間に、方向調節部をスクロールホイールとして形成することができる。
【００１６】
前記方向調節部は、前記第２棒部の一端部にトラックボールとして形成することができる。
【図面の簡単な説明】
【００１７】
【図１】本発明の一実施例に係る箸型マウスの斜視図である。
【図２】図１の分解斜視図である。
【図３】図１のブリッジ部を拡大して示す図である。
【図４】図１の接点スイッチ部を拡大して示す図である。
【図５】図１の光センサ部を拡大して示す図である。
【図６】図１をユーザが互いに異なる手の姿勢で把持した状態を示す図である。
【図７】光センサ部が適切な大きさで、クリックをする際、底面が必要ないため、手帳や反対側の手のひらにも自由に使える状態を示す図である。
【図８】図１の位置感知センサが作動され、光センサ部から出力される光の強さが調節される状態を示す図である。
【図９】図１に設けられる方向調節部の様々な変形例を示す図である。
【図１０】図１に設けられる方向調節部の様々な変形例を示す図である。
【発明を実施するための形態】
【００１８】
以下、添付した図面を参照し、本発明の実施例を詳しく説明する。
【００１９】
本発明の実施例は、当該技術分野における通常の知識を有する者に、本発明をより完全に説明するために提供されるものであって、下記実施例は、様々な異なる形態に変形することができ、本発明の範囲が下記実施例に限定されるものではない。
【００２０】
むしろ、これらの実施例は、本開示をただ充実及び完全にし、当業者に本発明の思想を完全に伝えるために提供されるものであって、これで限定されるものではなく、図面上に示した同一の符号は同一の要素を示す。
【００２１】
さらに、本明細書上での図面は、図面に、参照による説明が明確に理解できるように、本発明をなす構成要素の一部を多少誇張して示した。図面上に示した構成要素の形状及び大きさは、図示した形状に限定されることはない。
【００２２】
このような本発明は、請求の範囲に記載した内容に限って、請求の範囲を定義することができる。
【００２３】
以下、本発明の理想の実施例を、示した図面を参照として説明する。
【００２４】
先ず、図１を参照し、本発明の一実施例に係る箸型マウスについて概括的に説明する。
【００２５】
図１は、本発明の一実施例に係る箸型マウスの斜視図である。
【００２６】
箸型マウス１は、既存のマウスの形状を箸型に変形したコンピュータの入力装置である。
【００２７】
本発明の箸型マウス１は、箸の形状と同じように、一端部がユーザの中指（ｍｉｄｄｌｅ  ｆｉｎｇｅｒ）、他端部がユーザの親指（ｔｈｕｍｂ）と人差し指（ｉｎｄｅｘ  ｆｉｎｇｅｒ）との間のくぼみに据え置かれる第１棒部１０と、一端部がユーザの人差し指によって押される第２棒部３０、さらに、第１棒部１０と第２棒部３０との間に位置する接点スイッチ部４０などから構成される。
【００２８】
ユーザは、第１棒部１０と第２棒部３０とを、箸を把持する手の姿勢または鉛筆を把持する手の姿勢で把持することができる。ユーザは、第１棒部１０と第２棒部３０とを箸及び鉛筆を把持する手の姿勢で把持し、第１棒部の一端部に設けられている光センサ部１１０から光が出力されるようにして、マウスとして用いることができる。
【００２９】
ユーザは、親指、人差し指、そして中指、すなわち、三本の指だけで箸型マウス１を把持しながら高いグリップ感を感じることができる。
【００３０】
箸型マウスは、ユーザが本発明を把持している間、薬指（ｒｉｎｇ  ｆｉｎｇｅｒ）と小指（ａ  ｌｉｔｔｌｅ  ｆｉｎｇｅｒ）を手のひらの中に折るようにして、手のひらに溜まる疲労を減少することができる。
【００３１】
さらに、箸型マウス１は、ユーザに把持されると、ユーザの手のひらの側面、すなわち、手刀の小指のほうを底に接するようにし、手首部位に集中される負荷を減少し、手根管症候群による痛みが発生しないようにすることができる。
【００３２】
また、箸型マウス１は、第１棒部１０と第２棒部３０とが長い棒の形状に形成され、ユーザが第２棒部３０のブリッジ部２０と接する部位の下のどの区間を押しても接点スイッチ部４０の第１ボタン部４２０が押さえられるようにする。さらに、第１棒部１０がユーザの親指と人差し指との間にあるくぼみに据え置かれ、ユーザが第２棒部３０を少ない力でも押すことができるようにする。
【００３３】
このような箸型マウス１は、既存のマウス、すなわち、底に対して力を加えてクリックすることによって、底がなければクリックが不可能な既存のマウスとは異なり、底面から独立して片手で作動することができる。
【００３４】
これによって、ユーザは、第１棒部１０及び第２棒部３０を短くあるいは長く把持しても、第２棒部３０を少ない力で押して、本発明を従来のマウスのようなマウスとして用いることができる。
【００３５】
本発明の箸型マウス１は、第１棒部１０、ブリッジ部２０、第２棒部３０、接点スイッチ部４０、及び光センサ部１１０を構成要素として含む。さらに、本発明は、電源部５０、制御部（図示せず）、位置感知センサ６０、及び方向調節部７０などを構成要素として含むことができる。
【００３６】
以下、図２ないし図５を参照し、本発明の構成要素及び各構成要素の特徴について具体的に説明する。
【００３７】
図２は図１の分解斜視図で、図３は図１のブリッジ部を拡大して示した図で、図４は図１の接点スイッチ部を拡大して示した図である。また、図５は図１の光センサ部を拡大して示した図である。
【００３８】
第１棒部１０と第２棒部３０は、箸型マウス１の胴体部である。このような第１棒部１０と第２棒部３０は、両方とも円筒状に形成することができる。さらに、第１棒部１０と第２棒部３０は、一端部から他端部にいくにつれ、直径がだんだん大きくなる円錐台状に形成することができる。
【００３９】
このような第１棒部１０または第２棒部３０のいずれか１つには、電気的な力を発生する電源部５０、電源部５０と連結される制御部（図示せず）、制御部（図示せず）と連結される位置感知センサ６０、制御部（図示せず）と連結される方向調節部７０、及び接点スイッチ部４０を設けることができる。さらに、ＤＰＩ調節部１２０を設けることができる。この際、ＤＰＩ調節部１２０は、左右に動いてマウスのＤＰＩを調節可能にする。
【００４０】
本明細書上では、説明を簡潔かつ明確にするために、第１棒部１０に接点スイッチ部４０、位置感知センサ６０、及びＤＰＩ調節部１２０が設けられ、第２棒部３０に電源部５０が設けられるものを一例とする。
【００４１】
第１棒部１０は、一定の長さと直径を有する棒状に形成される。このような第１棒部１０の一端部には、光センサ部１１０が設けられる。
【００４２】
また、第２棒部３０は、第１棒部１０と類似の形状に形成される。すなわち、第２棒部３０は、一定の長さと直径を有する棒状に形成される。第２棒部３０の他端部には、電源部５０、すなわち、電源ピンポートと連結されているバッテリー部３１０が設けられる。
【００４３】
第２棒部３０は、電源部５０から印加される電源を通じて光センサ部１１０から光を出力することができる。ここにおいて、光センサ部１１０に対する具体的な説明は後述する。
【００４４】
光センサ部１１０が設けられている第１棒部１０は、ユーザによって把持された際、一端部がユーザの中指（ｍｉｄｄｌｅ  ｆｉｎｇｅｒ）に位置し、他端部がユーザの親指（ｔｈｕｍｂ）と人差し指（ｉｎｄｅｘ  ｆｉｎｇｅｒ）との間のくぼみに位置する。このような第１棒部１０の一面にはブリッジ部２０が設けられる。
【００４５】
ブリッジ部２０は、一端部が第１棒部１０と連結され、他端部が第２棒部３０と連結されており、第１棒部１０と第２棒部３０との間の離隔距離を維持することができる。ブリッジ部２０は、第１棒部１０と第２棒部３０との連結性を高めるために、上端部と下端部の各々に第１棒部１０と第２棒部３０の形状に対応するくぼみを形成することができる。一例として、図３に示すように、ブリッジ部２０の下端部には、終端面が「∩」のような形状のくぼみを形成し、上端部には、終端面が「∪」のような形状のくぼみを形成することができる。
【００４６】
ブリッジ部２０は、第１棒部１０の一面に上側方向に傾斜するように設けられ、第２棒部３０を支持することができる。この際、ブリッジ部２０は、第２棒部３０の一端が第１棒部１０と隣接するように、かつ、第２棒部３０の他端が第２棒部３０の一端より第１棒部から広く離隔されるようにすることができる。
【００４７】
さらに、ブリッジ部２０は、弾性体で形成され、第２棒部３０に力が加えられると収縮し、加えられている力が除去されると元の状態に復元される。これによって、ユーザが指で第２棒部３０を押してから離すと、第２棒部３０が元の位置に戻れるようにする。
【００４８】
第１棒部１０と第２棒部３０との間には、接点スイッチ部４０が設けられ、ユーザが指で第２棒部３０を押すと、接点スイッチ部４０に圧力がかかり、作動信号を発生することができる。
【００４９】
接点スイッチ部４０は、第１棒部１０と第２棒部３０のいずれか１つの棒部に固定されるケースモジュール４１０と、ケースモジュール４１０から外側に突出形成されている第１ボタン部４２０とを含む。一例として、接点スイッチ部４０は、図４に示すように、第１棒部１０上にケースモジュール４１０が固定され、ケースモジュール４１０の上側面から第２棒部３０に向かって第１ボタン部４２０が突出される構造で形成することができる。
このような接点スイッチ部４０は、第２棒部３０に圧力が加えられると、第１ボタン部４２０が押され、第２棒部３０に加えられている圧力が除去されると、第１ボタン部４２０が押されなくなる。さらに、第１棒部１０の下端部で一側から右側方向に向かって第２ボタン部４３０が突出される構造で形成される。ユーザは、中指を伸ばして第２ボタン部４３０を用いることができる。
【００５０】
この際、第２ボタン部４３０は、右利きのユーザが従来のマウスの右側のボタンを用いる際、中指を使用することを考慮し、本発明の箸型マウスにおいても右利きのユーザが中指を利用して第２ボタン部４３０を用いることができるようにするために、第１棒部１０の上述した位置に形成されている。ここにおいて、第１ボタン部４２０は、右利きが用いる通常のマウスの左側のボタンになり、第２ボタン部４３０は右側のボタンになり得る。
【００５１】
光センサ部１１０は、マウスパッドに接してマウスパッドに光を出力し、出力されて反射される光を受信し、コンピュータ画面上にカーソルを生成する。
【００５２】
このような光センサ部１１０は、出力モジュール１１１、受信モジュール１１４、ハウジングモジュール１１２ａ、１１２ｂ、及び支持モジュール１１３を含む。ここにおいて、出力モジュール１１１は、制御部（図示せず）を通じて電源部５０と連結され、電源部５０から出力される電気エネルギから光を出力する。また、受信モジュール１１４は、出力モジュール１１１から出力された後、マウスパッドによって反射される光を受信する。ハウジングモジュール１１２ａ、１１２ｂは、このような出力モジュール１１１と受信モジュール１１４とを包み、出力モジュール１１１から出力された光が外部に散乱されず漏れなく受信モジュール１１４で受信できるようにする。
【００５３】
このようなハウジングモジュール１１２ａ、１１２ｂは、下部面が開口されたマウスの容易な移動及び光センサのセンシングの正確度のための水平維持という両方の目的に合わせるように形成することができる。一例として、図５の（ａ）に示すように、ハウジングモジュール１１２ａ、１１２ｂは、２＊０．７〜３＊２センチメートル程度の広さを有する直方体１１２ａの形状または楕円形１１２ｂの形状に形成することができる。
【００５４】
支持モジュール１１３は、このようなハウジングモジュール１１２ａ、１１２ｂの一側面に設けられるか、または、一部に挿入され、第１棒部１０の一部を支持することができる。一例として、支持モジュール１１３は、ハウジングモジュール１１２ａ、１１２ｂに鋭角で傾斜するように連結され、第１棒部１０を支持することができる。
【００５５】
このような支持モジュール１１３は、ハウジングモジュール１１２ａ、１１２ｂから突出される摩擦部面１３１を含むことができる。このような摩擦部面１３１は、光センサ部１１０がマウスパッドに接することにおいての水平維持と少ない摩擦係数を同時に達成可能な面積を有する。
【００５６】
以下、図６を参照し、ユーザが互いに異なる手の姿勢で本発明の箸型マウスを把持して用いる状態について説明する。
【００５７】
図６は、図１をユーザが互いに異なる手の姿勢で把持した状態を示す図である。
【００５８】
箸型マウス１は、第１棒部１０と第２棒部３０とが従来のマウスの長さより長く、第１棒部１０と第２棒部３０との間に接点スイッチ部４０が形成され、第１棒部１０または第２棒部３０の一部を押しても、接点スイッチ部４０の第１ボタン部４２０を押すことができる。
【００５９】
ユーザＣは、このような箸型マウス１を作業状況に合わせて短くあるいは長く把持して用いることができる。一例として、ゲームの勝負所や速い作業を要する際は、ユーザＣが、図６の（ａ）に示すように、第１棒部１０と第２棒部３０を短く握って早く移動させることができる。その反面、単純な文書の検索、インターネットサーフィンなどのような作業を進行する際は、ユーザＣは、図６の（ｂ）に示すように、第１棒部１０と第２棒部３０を長く握ってゆっくり移動させることができる。
【００６０】
すなわち、ユーザＣは、ゲーム、インターネットサーフィン、事務、及びデザイン作業をするにおいて、状況に合わせて適宜に手の姿勢を変更して箸型マウス１を握って作動させることができる。さらに、ユーザは、第１棒部１０を親指と人差し指との間のくぼみにかけ、少ない力で第２棒部３０を押すことで、マウスの使用において最小限の力のみを使用することができる。
【００６１】
このように、本発明の箸型マウス１は、ユーザが最小限の力で使用可能となっており、ユーザの手の疲労度を減少することができ、手根管症候群の発生を防止することができる。
【００６２】
以下、図７及び図８を参照し、光センサ部から出力される光の強さを変更することについて説明する。
【００６３】
図７は、図１の光センサ部がマウスパッドではなく手帳に光を照射してマウスとして用いられる状態を示す図で、図８は図１の位置感知センサが作動され、光センサ部から出力される光の強さが調節される状態を示す図である。
【００６４】
図７に示すように、光センサ部１１０がマウスパッドに接する方向ではなく、光センサ部１１０と遠く離隔されている客体Ｂを通じても、従来のようなマウスとして作動することができる。
【００６５】
このような箸型マウス１は、内部に設けられている位置感知センサ６０と制御部（図示せず）を通じて、出力モジュール１１１で光の強さを変更して出力することができる。
【００６６】
さらに具体的に、箸型マウス１は、第１棒部１０の一端部が下ではなく、正面の客体Ｂに向かって持ち上げられると、位置感知センサ６０が第１棒部１０の位置の変化を感知し、位置変換信号を生成する。
【００６７】
この際、位置感知センサは、位置の変化に対応して第１位置変換信号、また第１位置変換信号と異なる第２位置変換信号を発生することができる。
箸型マウス１は、図８の（ａ）に示すように、第１棒部１０が底から大きく持ち上げられた際、図８の（ｂ）に示すように、第１棒部１０が底から少し持ち上げられた際に、互いに異なる位置変換信号を生成することができる。
【００６８】
一例として、箸型マウス１は、全体を７５゜以上立てると、位置変化センサから出力される第１位置変換信号によってスクロールアップ（ｓｃｒｏｌｌ  ｕｐ）作動し、４０゜以下横にすると、位置変化センサから出力される第２位置変換信号によってスクロールダウン（ｓｃｒｏｌｌ  ｄｏｗｎ）作動することができる。すなわち、箸型マウス１は、位置感知センサを用いてスクロールアップ／ダウン機能を行うことができる。
【００６９】
制御部（図示せず）は、位置感知センサ６０で生成した位置変換信号を受信し、それに対応する出力信号を生成し、出力モジュール１１１に印加する。出力モジュール１１１は、制御部から出力された出力信号を受信し、受信した出力信号にしたがって様々な強さの光を出力する。
【００７０】
すなわち、出力モジュール１１１は、第１棒部１０が底から持ち上げられた程度に対応して様々な強さの光を出力する。よって、出力モジュール１１１は、図８の（ａ）の状況下で、強い光（Ｓ．Ｌ）を出力し、図８の（ｂ）の状況下では、図８の（ａ）の状況下で出力する光より相対的に弱い光（Ｗ．Ｌ）を出力することができる。
【００７１】
このような箸型マウス１は、３次元空間用のマウスとなり、従来のマウスより一歩前進したマウスとなる。
【００７２】
以下、図９及び図１０を参照し、第１棒部または第２棒部のうち少なくともいずれか１つに形成することができる方向調節部について説明する。
【００７３】
図９及び図１０は、図１に設けられる方向調節部の様々な変形例を示す図である。
【００７４】
方向調節部７０は、制御部（図示せず）と連結され、第１ボタン部４２０及び第２ボタン部と異なる信号を生成することができる。一例として、方向調節部７０は、従来のマウスに形成されているスクロールホイールが作動される際に出力する信号を生成することができる。すなわち、方向調節部７０は、従来のマウスに設けられているスクロールホイールと同じ役割を行う。
【００７５】
このような方向調節部７０は、図９の（ａ）に示すように、第１棒部１０に接点スイッチ部４０と平行するようにスクロールホイール７０−１として形成することができる。または、図９の（ｂ）に示すように、第１棒部１０にトグルスイッチ状の突起部７０−２を形成することができる。この際、突起部７０−２は、第１棒部１０から引っ張られたり、第１棒部１０に押される構造として形成され、ユーザによって引っ張られたり押されたりし、従来のスクロールホイールと同じ役割を行う。
【００７６】
さらに、方向調節部７０は、図９の（ｃ）に示すように、第１棒部１０と第２棒部３０の一端部との間に設けることができる。
【００７７】
ユーザは、箸型マウス１をマウスパッドに光センサ部１１０を接触させてポインタを移動させることで使用しながら、一方向に回転させてマウスパットに方向調節部７０を接触させて押すかまたは手で押して、方向調節部７０を従来のマウスに設けられているスクロールホイールのように用いることができる。
【００７８】
さらに、方向調節部７０は、図１０の（ｄ）に示すように、第２棒部３０の一端部の先に設けられるトラックボール７０−３として形成することができる。
【００７９】
ユーザは、光センサ部１１０をマウスパッドに接触させてカーソルの位置を移動させる作業をしながら、第１棒部１０と第２棒部３０をロール（ｒｏｌｌ）方向に１８０゜回転させてマウスパッドにトラックボール７０−３を接触させ、トラックボールをコンピュータと連結されているモニタから出力される画面を上側または下側に移動させるボタンとして用いることができる。
【００８０】
さらに、本発明の箸型マウス１は、図１０の（ｅ）に示すように、四方ボタンパッド９０と連動して作動することができる。この際、四方ボタンパッド９０は、スクロール専用の四方ボタンパッドにすることができる。
【００８１】
ユーザは、箸型マウス１をモニタ上で移動するカーソルとして用いて、四方ボタンパッド９０をコンピュータと連結されているモニタから出力される画面を上側または下側に移動させるボタンとして用いることができる。
【００８２】
ここにおいて、ユーザは、右手で箸型マウス１を使用し、箸型マウス１を把持するために使用していない指、すなわち、薬指で四方ボタンパッドを加圧することができる。
【００８３】
以上、添付した図面を参照し、本発明の実施例を説明したが、本発明の属する技術分野における通常の知識を有する者は、本発明が、その技術的思想や必須の特徴を変更することなく、他の具体的な形態として実施され得ることを理解できるはずである。よって、以上記述した実施例はあらゆる面において例示的なものであって、限定的なものではないことを理解しなければならない。
【符号の説明】
【００８４】
１：箸型マウス
１０：第１棒部
１１０：光センサ部
１１１：出力モジュール
１１２ａ、１１２ｂ：ハウジングモジュール
１１３：支持モジュール
１３１：摩擦部面
１１４：受信モジュール
１２０：ＤＰＩ調節部
２０：ブリッジ部
３０：第２棒部
３１０：バッテリー部
４０：接点スイッチ部
４１０：ケースモジュール
４２０：第１ボタン部
５０：電源部
６０：位置感知センサ
７０：方向調節部
７０−１：突起部
７０−２：スクロールホイール
７０−３：トラックボール
８０：棒連結部
９０：四方ボタンパッド
Ａ：バンド
Ｂ：客体
【図１】
2021532517.tif 000003
【図２】
2021532517.tif 000004
【図３】
2021532517.tif 000005
【図４】
2021532517.tif 000006
【図５（ａ）】
2021532517.tif 000007
【図５（ｂ）】
2021532517.tif 000008
【図６（ａ）】
2021532517.tif 000009
【図６（ｂ）】
2021532517.tif 000010
【図７】
2021532517.tif 000011
【図８（ａ）】
2021532517.tif 000012
【図８（ｂ）】
2021532517.tif 000013
【図９】
2021532517.tif 000014
【図１０】
2021532517.tif 000015
【国際調査報告】
2021532517.tif 000016
2021532517.tif 000017
2021532517.tif 000018
2021532517.tif 000019